(57)【要約】【課題】温度特性に応じたレーザ制御を、簡易な構成で実現できる画像表示装置、画像表示方法及びプログラムを提供する。【解決手段】画像表示装置１００は、入力された画像信号に基づき、レーザダイオードに所定の電流を印加して所定の光量のレーザを出力する光源部１１０、光源部１００が出力したレーザを反射させて投射面をラスタ走査することにより、投射面に画像を表示する走査ミラー部１２０、光源部１１０近傍に配置され、光源部１１０が出力したレーザの光量を検出可能な検出部１３０を有する。光源部１１０は、レーザを、異なる電流値によって複数回テスト出力させ、検出部１３０は、複数回のテスト出力における光量をそれぞれ検出して光源部１１０に出力し、光源部１１０は、複数の電流値と、電流値に対応する光量と、の関係に基づいて、レーザダイオードの温度特性を示すパラメータを算出する。【選択図】図１
2014130256.tif 000002
【特許請求の範囲】
【請求項１】
入力された画像信号に基づき、レーザダイオードに所定の電流を印加して所定の光量のレーザを出力する光源部と、
前記画像の水平方向に対応するＨ軸方向に共振揺動するとともに、前記画像の垂直方向に対応するＶ軸方向に所定の周波数で振動し、前記光源部が出力したレーザを反射させて投射面をラスタ走査することにより、前記投射面に前記画像を表示する走査ミラー部と、
前記光源部近傍に配置され、前記光源部が出力した前記レーザの光量を検出可能な検出部と、を有し、
前記光源部は、前記レーザを、異なる電流値によって複数回テスト出力させ、
前記検出部は、前記複数回のテスト出力における光量をそれぞれ検出して前記光源部に出力し、
前記光源部は、複数の前記電流値と、前記電流値に対応する前記光量と、の関係に基づいて、前記レーザダイオードの温度特性を示すパラメータを算出する
画像表示装置。
【請求項２】
前記光源部は、複数のレーザダイオードを出力制御し、
前記検出部は、前記複数のレーザダイオードが出力するレーザの光量を同一のセンサで検出するものである
請求項１記載の画像表示装置。
【請求項３】
前記検出部は、前記複数のレーザダイオードが出力するレーザがすべて入射するダイクロイックミラーからの反射光又は透過光を検出可能な位置に配置されるものである
請求項２記載の画像表示装置。
【請求項４】
前記光源部は、前記投射面のうち前記画像が表示されない外縁部を前記走査ミラー部が走査するブランキング期間において、前記テスト出力を行う
請求項１乃至３いずれか１項記載の画像表示装置。
【請求項５】
前記光源部は、
前記レーザダイオードの温度を計測する温度センサをさらに備え、
前記レーザダイオードの温度変化に応じ、前記テスト出力の頻度を変動させる
請求項１乃至４いずれか１項記載の画像表示装置。
【請求項６】
前記光源部は、
前記レーザダイオードの温度を計測する温度センサをさらに備え、
前記レーザダイオードの温度変化に応じ、前記テスト出力時の前記電流値を変動させる
請求項１乃至４いずれか１項記載の画像表示装置。
【請求項７】
前記光源部は、
予想されるオフセット電流値以上である第１の電流値と、
前記第１の電流値より大きい第２の電流値と、を用いて前記テスト出力を行う
請求項１乃至６いずれか１項記載の画像表示装置。
【請求項８】
入力された画像信号に基づき、レーザダイオードに所定の電流を印加して所定の光量のレーザを出力する光源部が、前記レーザを、異なる電流値によって複数回テスト出力させるステップと、
前記光源部近傍に配置され、前記光源部が出力した前記レーザの光量を検出可能な検出部が、前記複数回のテスト出力における光量をそれぞれ検出して前記光源部に出力するステップと、
前記光源部が、複数の前記電流値と、前記電流値に対応する前記光量と、の関係に基づいて、前記レーザダイオードの温度特性を示すパラメータを算出するステップと、を含む
画像表示方法。
【請求項９】
コンピュータに、請求項８記載の方法を実行させるためのプログラム。
【発明の詳細な説明】
【技術分野】
【０００１】
本発明は、画像表示装置、画像表示方法及びプログラムに関する。より具体的には、レーザ走査型の画像表示装置、画像表示方法及びプログラムに関する。
【背景技術】
【０００２】
光源から投射されたレーザ光を走査ミラーで反射させ、反射された光線で投射面をラスタ走査することにより、投射面に画像を表示させるレーザ走査型の画像表示装置が知られている。このレーザ走査型の画像表示装置は、水平方向の走査線を描く際に走査ミラーを左右に往復揺動させるとともに、画像を構成する走査線の数にあわせて走査ミラーを垂直方向に揺動させる。近年では、この走査ミラーとして例えばＭＥＭＳ（Micro Electro Mechanical Systems）ミラーを利用することでレーザ走査型の画像表示装置は小型化され、ヘッドアップディスプレイやヘッドマウントディスプレイなど様々な応用製品が現在開発されてきている。
【０００３】
ところで、レーザ光の光源、典型的にはレーザダイオードは、ある電流値（オフセット電流値）未満ではほとんど発光せず、オフセット電流値以上においては印加される電流値に略比例して光量が増すという特性（以下、ＩＬ特性）を有する。そして、このオフセット電流値及び比例係数は、温度によって変動することが知られている。例えば、レーザダイオードがレーザを出力する際に発生する熱や外気温の変化等が、温度変化の原因となりうる。このようにレーザダイオードのＩＬ特性が変化すると、同一の電流値の印加しても得られる光量が変動するため、表示する画像の黒レベル（最小輝度）及び白レベル（最大輝度）（以下、黒白レベル）が当初の状態から徐々に変化し、所望の黒白レベルが得られなくなり、画像のコントラスト等に悪影響を与えるという問題がある。
【０００４】
特許文献１には、レーザの黒白レベルを一定に保つ技術として、レーザがＭＥＭＳミラーで反射されたからユーザの瞳に入射するまでの間の光学系内に配置された光検出部が、レーザ光の強度を複数回検出し、検出された光の強度に基づいてＩＬ特性を演算し、当該演算結果に基づいてレーザダイオードに供給する電流を調整する構成が記載されている。
【０００５】
また、特許文献２には、レーザダイオードからのレーザ光を、光検出器としてのフォトダイオードで受光し、レーザダイオードの発光時の光量が一定となるように、光量の増減変化に応じてレーザダイオードの駆動電流をフィードバック制御する構成が開示されている。
【先行技術文献】
【特許文献】
【０００６】
【特許文献１】特開２００９−２４４７９７号公報
【特許文献２】特開昭５９−４２６５０号公報
【発明の概要】
【発明が解決しようとする課題】
【０００７】
しかしながら、特許文献１記載の技術は、レーザがＭＥＭＳミラーで反射されたからユーザの瞳に入射するまでの間の光学系内に光検出部を配置するため、システムの構造が複雑化するという問題があった。
【０００８】
また、特許文献２記載の技術は単一のレーザダイオードを前提としているため、複数のレーザダイオードを有する画像表示装置に直接応用することは困難であった。
【０００９】
本発明は、かかる問題を解決するためになされたものであり、温度特性に応じたレーザ制御を、簡易な構成で実現できる画像表示装置、画像表示方法及びプログラムを提供することを目的とする。
【課題を解決するための手段】
【００１０】
そこで、本発明は、入力された画像信号に基づき、レーザダイオードに所定の電流を印加して所定の光量のレーザを出力する光源部と、前記画像の水平方向に対応するＨ軸方向に共振揺動するとともに、前記画像の垂直方向に対応するＶ軸方向に所定の周波数で振動し、前記光源部が出力したレーザを反射させて投射面をラスタ走査することにより、前記投射面に前記画像を表示する走査ミラー部と、前記光源部近傍に配置され、前記光源部が出力した前記レーザの光量を検出可能な検出部と、を有し、前記光源部は、前記レーザを、異なる電流値によって複数回テスト出力させ、前記検出部は、前記複数回のテスト出力における光量をそれぞれ検出して前記光源部に出力し、前記光源部は、複数の前記電流値と、前記電流値に対応する前記光量と、の関係に基づいて、前記レーザダイオードの温度特性を示すパラメータを算出する画像表示装置を提供する。
【００１１】
さらに、本発明は、入力された画像信号に基づき、レーザダイオードに所定の電流を印加して所定の光量のレーザを出力する光源部が、前記レーザを、異なる電流値によって複数回テスト出力させるステップと、前記光源部近傍に配置され、前記光源部が出力した前記レーザの光量を検出可能な検出部が、前記複数回のテスト出力における光量をそれぞれ検出して前記光源部に出力するステップと、前記光源部が、複数の前記電流値と、前記電流値に対応する前記光量と、の関係に基づいて、前記レーザダイオードの温度特性を示すパラメータを算出するステップと、を含む画像表示方法を提供する。
【００１２】
さらに、本発明は、コンピュータに、上記方法を実行させるためのプログラムを提供する。
【発明の効果】
【００１３】
温度特性に応じたレーザ制御を、簡易な構成で実現できる画像表示装置、画像表示方法及びプログラムを提供することができる。
【図面の簡単な説明】
【００１４】
【図１】実施の形態にかかる画像表示装置１００の構成を示す図である。
【図２】実施の形態にかかる画像表示装置１００の構成を示す図である。
【図３】実施の形態にかかる画像表示装置１００における走査方式を示す図である。
【図４】実施の形態にかかる画像表示装置１００におけるレーザダイオード１１１の温度特性を示す図である。
【図５】実施の形態にかかる画像表示装置１００の動作を示す図である。
【図６】実施の形態にかかる画像表示装置１００による効果を示す図である。
【発明を実施するための形態】
【００１５】
以下に図面を参照しながら、本発明の好適な実施形態を説明する。かかる実施形態に示す具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
はじめに、図１及び図２を用いて、本発明に実施の形態にかかる画像表示装置１００の構成について説明する。図１に示すように、画像表示装置１００は、光源部１１０、走査ミラー部１２０、検出部１０３を有する。
【００１７】
光源部１１０は、入力された画像信号に応じ、レーザ光源を駆動して、後段の走査ミラー部１２０に対しレーザ光を出力する。光源部１１０は、典型的にはマイクロコンピュータを備え、下記の一連の処理を実施する。
【００１８】
光源部１１０は、図示しないビデオインターフェースを介して原画像信号を入力する。光源部１１０は、画像種別に応じて原画像信号をデコード処理する。例えば、原画像信号がアナログ画像信号（コンポーネント映像信号）である場合には、デコード処理により、原画像信号を、３色（ＲＧＢ）のデジタル色信号で構成されるデジタル画像データと、水平同期信号と垂直同期信号とを含む同期信号と、に分離する。
【００１９】
光源部１１０は、デコード処理した画像データをバッファに一旦書き込んだ後、レーザ走査型の画像表示装置に適したタイミングで、バッファから画像データを主走査線の一ラインずつ読み出し、後段に出力する。すなわち光源部１１０は、後述する走査ミラー部の水平方向の揺動に基づいて調整されたタイミング信号（ドットクロック、表示期間指示信号）に合わせて画像データを読み出す。
【００２０】
光源部１１０は図示しないＤ／Ａ変換部を備え、読み出した画像データを構成する３色（ＲＧＢ）に応じて、レーザ光源に駆動電流を印加して、３色（ＲＧＢ）のレーザ光源を所望の輝度で発光させる。
【００２１】
図２に示すように、光源部１１０は、レーザ光源として、ＲＧＢ３色を得るため、赤色レーザダイオード１１１Ｒ、青色レーザダイオード１１１Ｂ、および、緑色レーザダイオード１１１Ｇを備えている。各レーザダイオードは、図示しない赤色ドライバ、緑色ドライバ、青色ドライバにより駆動される。
【００２２】
画像データを構成する各画素データは、画素ごとにＲ（赤）、Ｇ（緑）、Ｂ（青）の３色で構成される色情報を有する。赤色ドライバ、緑色ドライバ、青色ドライバは、それぞれ各画素の各色の輝度情報に応じて各色のレーザダイオード１１１に電流を印加する。なお、黒を描画する際にはレーザを非発光とする。このため、レーザ走査型の画像表示装置は、常に画素に電流を印加しなければならない液晶ディスプレイ等に比較して、消費電力を抑制することができる。
【００２３】
光源部１１０はさらに、ミラー１１２Ｒ、１１２Ｇ、１１２Ｂを備える。ミラー１１２はそれぞれ所定の波長の色を透過または反射させるダイクロイックミラーである。ダイクロイックミラーは、一方の面に入射した光をほぼ反射するとともに、他方の面に入射した光をほぼ透過させる性質をもつ。複数のミラー１１２を組み合わせることにより、３色のレーザ光を一軸に合波した光束として、走査ミラー部１２０に所定の角度で入射させる。なお、光路上に図示しない集光レンズが適宜配置され、レーザ光を集光させても良い。
【００２４】
次に、走査ミラー部１２０の構成について説明する。走査ミラー部１２０は、いわゆるＭＥＭＳデバイスであって、圧電素子により駆動されるミラーと、圧電素子に所定のタイミングで電流を印加してミラーを駆動する制御部と、を備える。ミラーは、互いに直交する２つの揺動軸を有し、２方向にミラーを揺動させることにより画像光束をラスタスキャンさせる。以下、説明の都合上、画像の水平方向（主走査方向）のスキャンに対応するミラーの揺動軸をＨ軸、画像の上下方向（副走査方向）のスキャンに対応するミラーの揺動軸をＶ軸として説明する。
【００２５】
ミラーのＨ軸方向、すなわち主走査方向の揺動は、共振振動である。一方、Ｖ軸方向、すなわち副走査方向の揺動は、非共振駆動である、制御部は、Ｖ軸方向の振動周期を、画像信号のフレームレートに合わせて調整する。
【００２６】
図３に、ミラーの揺動による画像のラスタスキャンの概念を示す。ミラーのＨ軸方向の揺動は共振振動であり、サイン波である。よって、画像の左右端にあたる折り返し部分ではミラーの動きが遅くなり、画素間隔が詰まったり、輝度が高くなる事象が生じる。そのため、実際に画像を表示させる際には、スキャン範囲の左右端の一定幅（ブランキング領域）をカットしている。すなわち、ブランキング領域においては、画像を描画するためのレーザ発光を行わず、黒帯状の表示領域とする。上下方向についても同様にブランキング領域を設ける。ミラーのＶ軸方向の揺動は非共振振動であるため、ノコギリ波等の任意の駆動波形を用いることができるが、この場合においても画像の上下端にあたる折り返し部分では同様の事象が生じるためである。
【００２７】
つづいて、検出部１３０について説明する。検出部１３０は、典型的にはカラーセンサである。カラーセンサとは、典型的には色素系フィルタを備えたフォトダイオードであり、１つのセンサで、Ｒ（赤）、Ｇ（緑）、Ｂ（青）それぞれについて選択的に光量を検出できる。
【００２８】
図２に示すように、検出部１３０は、光源部１２０の近傍に設けられる。具体的には、３色のレーザ光が合波されるミラー１１２Ｇ以降の光路近傍に設けられることが好ましい。本実施の形態では、ミラー１１２Ｇを介して、レーザダイオード１１２Ｇに正対する位置、換言すれば緑色レーザの初期の光路の延長上に検出部１３０を配置する。ダイクロイックミラーは、反射面においても一部の光を透過し、透過面においても一部の光を反射するため、このような位置に配置することにより、Ｒ（赤）、Ｇ（緑）、Ｂ（青）の３色のレーザ出力すべてを、１つの検出部１３０で検出することができる。
【００２９】
ここで、図４を用いて、本発明の課題について再度詳細に説明する。図４は、レーザダイオードに印加される駆動電流値と、レーザダイオードが出力するレーザの光量との関係（ＩＬ特性）を示したグラフである。グラフによれば、レーザダイオードは、一定の電流値（オフセット電流値）を閾値としてレーザ出力を開始する。すなわち、オフセット電流値未満の駆動電流では、レーザダイオードはほとんど発光しない。一方、オフセット電流以上の駆動電流においては、駆動電流とレーザの光量との関係はほぼ、所定の係数を介した比例関係となる。よって、光源部１２０では、ＲＧＢの各レーザダイオードに対し、オフセット電流値と、画像データに含まれるＲＧＢ各色の輝度信号に対応する電流値と、を併せて印加すればよい。
【００３０】
また、図４によれば、オフセット電流値及び比例係数（グラフの傾き）、換言すればＩＬ特性は、レーザダイオードの温度により変動することが分かる。すなわち、温度の上昇に応じてオフセット電流値は増大し、比例係数は減少する。また、ＩＬ特性は、レーザダイオードの色によっても異なることが分かる。さらに、レーザダイオードの個体差によってもＩＬ特性は異なることがある。画像表示装置１００は、典型的には車載されて利用されるが、その場合使用環境の温度帯は非常に広範となり、温度変化も激しいものとなるため、温度変化に応じたＩＬ特性の変動は、画像に顕著な影響を及ぼす。
【００３１】
レーザダイオードが高温状態で動作開始し、その後図示しない冷却素子の駆動等により温度が低下した場合、何の調整も加えなければ、同じ駆動電流値で出力されるレーザの輝度は上昇するため、画像中の暗い部分が本来より明るく表示されてしまう。したがって、光源部１２０は、所望の輝度を得るために印加すべき駆動電流値を、温度に応じて調整する必要がある。換言すれば、温度に応じて変化するＩＬ特性に常に追随しつつ、厳密に黒白レベルを設定する必要がある。さらに、レーザダイオードの個体差も考慮に入れるならば、個体差に応じた調整も必要である。これは、例えば夜間に画像表示を行う際等においては、暗い外界の視認を妨げない程度の極めて狭い輝度レンジ内での階調表現を求められるため、非常に重要である。
【００３２】
なお、かかる課題に対しては、レーザダイオード１１１の温度を冷却素子等により一定に保つという解決策も考え得る。しかしながら、冷却素子の常時駆動には一定の電力が必要であり、低消費電力という画像表示装置１００の特長を抑制しかねない。
【００３３】
つづいて、図５のフローチャートを用いて、上記課題を解決するため、本実施の形態における画像表示装置１００が行う特徴的な動作について説明する。
【００３４】
Ｓ１０１：駆動電流値を変えて複数回発光
光源部１１０は、入力される画像信号と無関係に、ＩＬ特性を求めるためのテスト発光を実施する。この際、レーザダイオード１１１に印加する駆動電流値を変更しつつ、光量の異なるレーザを複数回、すなわち最低２回出力する。本実施の形態では、光源部１１０は、図３における画像の上側にあたるブランキング期間でテスト発光を行う。なお、テスト発光は、画像の左側、右側、下側のブランキング期間で行っても構わない。画像表示領域内で、画像に重畳させる形でテスト発光を行うことも可能であるが、この場合、テスト発光が画像上のノイズとなり、ユーザに見えてしまうことになる。一方、ブランキング期間でテスト発光を実施すれば、ノイズ発生を気にすることなく、ＲＧＢ各色の出力タイミングを任意にコントロールできる。
【００３５】
なお、ＲＧＢ各色のレーザは同時に出力する必要がなく、１色ずつ出力、検出すれば良い。これにより、１個の検出部１３０で全色の測定を実施できる。また、光源部１１０及び検出部１３０を構成するマイクロコントローラ等の速度等に鑑みて、水平方向の１ラインの走査においてＲＧＢのうち複数色の出力、検出を行っても良く、フレーム毎にＲＧＢ各色を分けて出力、検出しても良い。
【００３６】
なお、テスト発光によらず、画像信号のあるフレームの輝度を検出し、これを使用してフィードバック制御を行う手法も考え得る。しかしながら、当該手法によれば、テスト発光による場合に比較して演算量が膨大となる。本実施の形態では、画像信号とは別に、ブランキング期間においてテスト発光を行うことにより、演算量を抑制している。
【００３７】
Ｓ１０２：光量を検出
検出部１３０が、レーザダイオードが出力したレーザの光量を検出する。検出部１３０は、検出した光量値を、光源部１１０に出力する。すなわち、光源部１１０が出力したレーザ光の光量を、光源部１１０にフィードバックする。
【００３８】
Ｓ１０３：現在のＩＬ特性を算出
光源部１１０は、検出部１３０が検出した光量を受信する。このフィードバックは、光源部１１のがテスト発光を実施する毎に行われる。少なくとも２回のフィードバックにより、駆動電圧と、光量と、のセットが少なくとも２セット得られる。上述のように、ＩＬ特性は、オフセット電流値を切片とする略直線的なものである。したがって、上記２セットを使用して駆動電圧と光量との一次関数を求めれば、ＩＬ特性が求められることになる。なお、複数回のテスト発光を行う場合は、例えばグラフ上の複数の点の近似直線を求める場合と同様の手法により、ＩＬ特性を求めることができる。一般に、テスト発光の回数が多いほど、ＩＬ特性の精度は上昇するであろう。
【００３９】
なお、本実施の形態では、ＩＬ特性を略直線状と仮定している。これは、少なくとも黒レベル（最小輝度）及び白レベル（最大輝度）を適切に設定するためである。なお、図４に示すように、ＩＬ特性は実際には曲線であるから、駆動電圧と光量との複数のセットを用いて当該曲線を近似する手法をとれば、黒レベル、白レベルのみならず、その間のグレーの階調をも正確に調整することができるであろう。しかしながら、曲線による方法は、直線による方法に比べて演算量が多くなる。換言すれば、直線による方法は、同じ演算量であれば、曲線による方法に比べ、多数回のフィードバック制御を行えるということである。本実施の形態では、車載用途においては常に安全が求められるという事情に鑑み、ＩＬ特性を直線とみなす手法を採用している。
【００４０】
Ｓ１０４：ＩＬ特性に基づき黒白レベルを調整
光源部１１０は、Ｓ１０３で算出したＩＬ特性に基づき、黒白レベルを調整する。すなわち、Ｓ１０３で算出した一次関数により、所望の輝度を得るためにレーザダイオード１１１に印加すべき駆動電力値を求め、求められた駆動電力値でレーザダイオード１１１を駆動する。
【００４１】
図６に、本実施の形態による効果を示す。図６のグラフにおいて、Ｘ軸から下方に描かれている線は、光源部１１０がテスト発光をしたタイミングを示している。Ｘ軸の上方に位置している線は、レーザダイオード１１１の光量の経時変化を示している。断続的にテスト発光が行われている期間においては、黒白レベルのフィードバック制御が行われ、特に白レベルが常時ほぼ一定に保たれていることが分かる。一方、テスト発光が全くなされていない期間においては、かかるフィードバック制御が行われず、レーザダイオード１１１の温度上昇に伴って、白レベルが漸次低下していることが分かる。後者の場合でも、テスト発光及びフィードバック制御を再開すれば、黒白レベルは正常な値に回復する。すなわち、レーザダイオード１１１の温度は引き続き上昇しているものの、白レベルを得るために必要な駆動電流値が断続的に変化するため、白レベルはほぼ一定値に収束する。
【００４２】
本実施の形態によれば、光源部１１０が複数回のテスト発光を行い、検出部１３０がこれを検出して光源部１１０にフィードバックすることにより、光源部１１０は黒白レベルを最適に調整することができる。
【００４３】
また、本実施の形態によれば、１つの検出部１３０により全色のレーザ光を検出できるため、低コストかつ省スペースを実現できる。
【００４４】
また、本実施の形態によれば、ブランキング期間においてテスト発光を行うことにより、ユーザに感知されることなくフィードバック制御を行うことができる。
【００４５】
なお、本発明は上記実施の形態に限られたものではなく、趣旨を逸脱しない範囲で適宜変更することが可能である。例えば、光源部１１０は、レーザダイオード１１１の温度を計測する温度センサをさらに備え、レーザダイオード１１１の温度変化がしきい値以上であるときは所定の頻度で、しきい値未満のときは上記頻度よりも少ない頻度で、フィードバック制御を実施しても良い。また、画像表示装置１００が搭載される車両のエンジン始動時など、急な温度変化が予測される所定の状況においては、一定時間にわたって所定の頻度で、それ以降は上記頻度よりも少ない頻度で、フィードバック制御を実施しても良い。
【００４６】
また、光源部１１０は、レーザダイオード１１１の温度を計測する温度センサをさらに備え、温度変化に応じて、ＩＬ特性を求めるために取得する２点の位置を変化させても良い。すなわち、テスト発光時に印加する駆動電流値を、温度に応じて動的に設定することができる。図４に示すように、オフセット電流値（切片）は、温度が高いほど大きくなる。そのため、より正確なＩＬ特性を得るためには、テスト発光時に印加する駆動電流値を、温度が高いほど大きくすることが好ましい。より具体的には、１回目のテスト発光は、テスト発光時の温度において予想されるオフセット電流値以上であり、かつオフセット電流値にできるだけ近い駆動電流値とすることが好ましい。このため、光源部１１０は、所定の温度における標準的なオフセット電流値を予め保持しておくことができる。２回目は、１回目よりも十分に大きな駆動電流値とすることが好ましい。これにより、ＩＬ特性、特に黒レベル及び白レベルをより正確に算出し、より正確に黒白レベルを調整することができる。
【００４７】
さらに、光源部１１０は、レーザダイオード１１１の個体毎の基準値として、所定温度、例えば２５度におけるＩＬ特性を保持しておき、黒白レベルの調整の際には、標準的な基準値、例えば２５度におけるＩＬ特性との差分を加味することとしても良い。これにより、黒白レベルの個体ばらつきを調整することができる。
【００４８】
また、上述の実施の形態では、本発明を主にハードウェアの構成として説明したが、これに限定されるものではなく、任意の処理を、ＣＰＵ（Ｃｅｎｔｒａｌ  Ｐｒｏｃｅｓｓｉｎｇ  Ｕｎｉｔ）にコンピュータプログラムを実行させることにより実現することも可能である。この場合、コンピュータプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００４９】
１００  画像表示装置
１１０  光源部
１１１  レーザダイオード
１１２  ダイクロイックミラー
１２０  走査ミラー部
１３０  検出部
【図１】
2014130256.tif 000003
【図２】
2014130256.tif 000004
【図３】
2014130256.tif 000005
【図４】
2014130256.tif 000006
【図５】
2014130256.tif 000007
【図６】
2014130256.tif 000008